(57)【要約】【課題】電源のオン／オフを含む光源の照明光に関する複数の機能の制御を同一部材の同一方向の操作によって行うことができるようにし、構造及び操作の簡略化を実現する。【解決手段】照明装置１０において、筐体１１の背面から露出したハンドル８の外周部を把持してハンドル８を回転させると、円筒カム７がハンドル８と一体的に回転する。円筒カム７の前面側端には周面に沿ってカム面が形成されている。操作プレート５，６の背面側端は、円筒カム７のカム面に当接している。円筒カム７がハンドル８とともに回転すると、カム面の変位によって操作プレート５，６がＸ方向に沿って移動する。操作プレート５の前面側端は、電源スイッチ４の可動接点部４Ａに背面側から選択的に当接する。操作プレート６の前面側端は、レンズ保持体３から背面側に延出した軸部３Ａの背面に選択的に当接する。【選択図】図２
2011003504.tif 000002
【特許請求の範囲】
【請求項１】
前面に開口部を備えた筐体と、
前記筐体の内部に配置されて前記開口部から前記筐体の外部に向けて照明光を照射する光源と、
前記光源に電源を選択的に供給する電源部と、
単一方向に操作自在にされ、操作量に応じて前記電源部のオン／オフを含む前記光源の照明光に関する複数の機能のそれぞれに対応した複数の部材のそれぞれを個別に動作させる単一の操作部材と、を備えた照明装置。
【請求項２】
前記電源部のオン／オフ以外の前記光源の照明光に関する複数の機能に、前記照明光の照射角の調整を含む請求項１に記載の照明装置。
【請求項３】
前記光源の前面側にレンズを備え、
前記レンズは、前記光源の前面側で前記光源の光軸に沿って往復移動自在に配置され、
前記単一の操作部材の第１の操作量の操作をオフ状態からオン状態へ切り換える動作として前記電源部に伝達する第１の伝達部材と、
前記単一の操作部材の前記第１の操作量より大きい第２の操作量の操作を前記光源の光軸に沿う方向の移動力として前記レンズに伝達する第２の伝達部材と、を備えた請求項１又は２に記載の照明装置。
【請求項４】
前記単一の操作部材を、前記筐体の背面側で前記光源の光軸周りに回転自在に配置し、
前記単一の操作部材と一体に回転する円筒カムであって回転量に応じて回転動作を前記第１及び第２の伝達部材に伝達する円筒カムを備えた請求項３に記載の照明装置。
【請求項５】
前記単一の操作部材と一体に回転する円筒カムであって回転量に応じて回転動作を前記第１及び第２の伝達部材に伝達する円筒カムと、
前記円筒カムのカム面の変位を前記レンズの前記光軸に沿う方向の動作に変換する変換部材と、を備えた請求項３に記載の照明装置。
【発明の詳細な説明】
【技術分野】
【０００１】
この発明は、光源の前方に配置したレンズを光軸に沿って移動させることで光源からの光の照射角を変更できるようにした照明装置に関する。
【背景技術】
【０００２】
スポットライト等の照明装置では、設置位置と照明対象物との距離に応じて、光源の照射角を変える必要がある。
【０００３】
このため、従来の照明装置では、光源の前方でレンズを保持するレンズ保持体を光軸に沿って移動させることで、光源からの光の照射角を変更できるようにしたものがある（例えば、特許文献１参照。）。筐体のネジ部に螺合したレンズ保持体を光軸回りに回転させることで、レンズをレンズ保持体とともにネジ送りして光軸方向に沿って進退させ、光源からの光の照射角を変更することができる。
【先行技術文献】
【特許文献】
【０００４】
【特許文献１】特開２００４−２２１０４２号公報
【発明の概要】
【発明が解決しようとする課題】
【０００５】
しかし、特許文献１に記載された発明では、レンズ保持体が回転した際のネジ送りによってレンズをレンズ保持体とともに光軸方向に沿って進退させて照射角を変更するため、照射角の変更と電源のオン／オフとを同一部材の同一方向の操作で行うことができない。このため、構造が複雑化するとともに操作が煩雑になる問題がある。
【０００６】
この発明の目的は、電源のオン／オフを含む光源の照明光に関する複数の機能の制御を同一部材の同一方向の操作によって行うことができるようにし、構造及び操作の簡略化を実現できる照明装置を提供することにある。
【課題を解決するための手段】
【０００７】
この発明に係る照明装置は、筐体、光源、電源部、単一の操作部材を備えている。筐体は、前面が開口部にされている。光源は、筐体の内部に配置されて開口部から筐体の外部に向けて照明光を照射する。電源部は、光源に電源を選択的に供給する。単一の操作部材は、単一方向に操作自在にされ、操作量に応じて電源部のオン／オフを含む光源の照明光に関する複数の機能のそれぞれに対応した複数の部材のそれぞれを個別に動作させる。
【０００８】
この構成では、単一の操作部材を単一方向に操作すると、その操作量に応じて光源の照明光に関する複数の機能のそれぞれに対応した複数の部材のいずれかが動作する。光源の照明光に関する複数の機能には、電源部のオン／オフが含まれる。したがって、単一の操作部材を単一方向に操作すると、操作量に応じて、光源に対する電源がオン／オフし、又は他の光源の照明光に関する機能が有効／無効にされる。光源の照明光に関する複数の機能が、単一の操作部材の単一方向の操作によって制御される。
【０００９】
なお、単一方向の操作は、例えば、光源の光軸周りの回転操作、又は光源の光軸に沿う押圧操作である。
【００１０】
この構成において、電源部のオン／オフ以外の光源の照明光に関する複数の機能には、照明光の照射角の調整を含むことができる。単一の操作部材の単一方向への操作により、光源に対する電源のオン／オフ、又は照明光の照射角の調整を行うことができる。
【００１１】
この場合に、光源の前面側で光源の光軸に沿って移動自在にレンズを配置し、第１の伝達部材と第２の伝達部材とを備えることが好ましい。第１の伝達部材は、単一の操作部材の第１の操作量の操作をオフ状態からオン状態へ切り換える動作として電源部に伝達する。第２の伝達部材は、単一の操作部材の第１の操作量より大きい第２の操作量の操作を光源の光軸に沿って移動力としてレンズに伝達する。単一の操作部材の単一方向への操作量に応じて、光源に対する電源がオンされた後、照明光の照射角が調整される。
【００１２】
なお、電源部のオン／オフ以外の光源の照明光に関する複数の機能には、照明光の照射角の調整に代えて、又は照明光の照射角の調整とともに、光源の光量の調整や照明光の色相の変更を含むことができる。
【００１３】
単一の操作部材は、筐体の背面側で光源の光軸周りに回転自在に配置し、単一の操作部材と一体に回転する円筒カムであって回転量に応じて回転動作を前記第１及び第２の伝達部材に伝達する円筒カムを備えることで、構造を最も簡略化できる。
【００１４】
また、単一の操作部材と一体に回転する円筒カムであって回転量に応じて回転動作を前記第１及び第２の伝達部材に伝達する円筒カムを備え、円筒カムのカム面の変位をレンズの光軸に沿う方向の動作に変換する変換部材を備えることもできる。操作性をさらに向上できる。
【発明の効果】
【００１５】
この発明によれば、電源のオン／オフを含む光源の照明光に関する複数の機能の制御を同一部材の同一方向の操作によって行うことができ、照明装置の構造及び操作の簡略化を実現できる。
【図面の簡単な説明】
【００１６】
【図１】この発明の第１の実施形態に係る照明装置の外観図である。
【図２】同照明装置の分解図である。
【図３】（Ａ）〜（Ｃ）は、同照明装置の平面断面図である。
【図４】（Ａ）〜（Ｃ）は、この発明の第２の実施形態に係る照明装置の平面断面図である。
【図５】この発明の第３の実施形態に係る照明装置の側面断面図である。
【図６】この発明の第４の実施形態に係る照明装置の円筒カム及び操作プレートの外観図である。
【発明を実施するための形態】
【００１７】
以下に、この発明の実施形態に係る照明装置について、図を参照しつつ説明する。
【００１８】
図１に示すように、この発明の第１の実施形態に係る照明装置１０は、筐体１１及び支持台１２を備えている。筐体１１は、支持台１２に軸１３を介して所定の角度範囲で回転自在に支持されている。支持台１２は、例えば天井面又は壁面に固定される。
【００１９】
筐体１１は、前面に開口部１１Ａを有し、背面にハンドル８を回転自在に備えている。ハンドル８は、この発明の単一の操作部材である。開口部１１Ａは、強化ガラス１４で被覆されている。照明装置１０は、筐体１１の内部に光源及びレンズを備えている。光源から照射された光は、レンズを介して開口部１１Ａから前面側に配光される。
【００２０】
図２及び図３（Ａ）に示すように、照明装置１０は、筐体１１内に一例として４個のパワーＬＥＤ１、パワーＬＥＤ１と同数のレンズ２、レンズ保持体３、電源スイッチ４、第１の操作プレート５、第２の操作プレート６、円筒カム７、ハンドル８を備えている。
【００２１】
複数のパワーＬＥＤ１は、この発明の光源であり、光軸方向が筐体１１の前面の法線方向に平行な矢印Ｘ方向に沿うように配置されている。レンズ２は、レンズ保持体３に保持されて、複数のパワーＬＥＤ１の前面側に配置されている。レンズ保持体３は、Ｘ方向に沿って所定範囲内で往復移動自在にされている。電源スイッチ４は、外部の商用電源から複数のパワーＬＥＤ１への電源ラインに配置され、可動接点部４Ａが背面側にあるときに電源ラインを閉成する。操作プレート５，６は、筐体１１内の背面側でＸ方向に沿って所定範囲内で往復移動自在にされている。円筒カム７は、操作プレート５，６の背面側に配置され、ハンドル８に同軸状に固定されている。ハンドル８は、一部を筐体１１の背面から外部に露出して、Ｘ方向に平行な軸周りに回転自在に支持されている。
【００２２】
筐体１１の背面から露出したハンドル８の外周部を把持してハンドル８を回転させると、円筒カム７がハンドル８と一体的に回転する。円筒カム７の前面側端には周面に沿ってカム面が形成されている。操作プレート５，６の背面側端は、円筒カム７のカム面に当接している。円筒カム７がハンドル８とともに回転すると、カム面の変位によって操作プレート５，６がＸ方向に沿って移動する。操作プレート５の前面側端は、電源スイッチ４の可動接点部４Ａに背面側から選択的に当接する。操作プレート６の前面側端は、レンズ保持体３から背面側に延出した軸部３Ａの背面に選択的に当接する。
【００２３】
図３（Ａ）に示す状態では、操作プレート５が電源スイッチ４の可動接点部４Ａを前面側に押圧しており、パワーＬＥＤ１への電源ラインが開成されている。また、操作プレート６は軸部３Ａに当接しておらず、レンズ保持体３は背面側の位置にある。
【００２４】
図３（Ａ）に示す状態からハンドル８を例えば４５度（第１の操作量）だけ正転させると、図３（Ｂ）に示すように、操作プレート５が電源スイッチ４の可動接点部４Ａに当接しなくなり、可動接点部４Ａが背面側に移動してパワーＬＥＤ１への電源ラインが閉成される。この結果、パワーＬＥＤ１が点灯する。図３（Ｂ）に示す状態でも、操作プレート６は軸部３Ａに当接しておらず、レンズ保持体３は背面側の位置にある。
【００２５】
図３（Ｂ）に示す状態からハンドル８をさらに４５度（第２の操作量）だけ正転させると、図３（Ｃ）に示すように、操作プレート５が電源スイッチ４の可動接点部４Ａに当接しない状態が維持されてパワーＬＥＤ１への電源ラインが閉成されたまま、操作プレート６が軸部３Ａを押圧し、レンズ保持体３が前面側の位置に移動する。図３（Ｃ）に示す状態からハンドル８を４５度だけ逆転させると図３（Ｂ）に示す状態になり、パワーＬＥＤ１への電源ラインが閉成されたまま、レンズ保持体３が背面側の位置に移動する。
【００２６】
レンズ保持体３とともにレンズ２が背面側の位置と前面側の位置との間で移動すると、パワーＬＥＤ１とのＸ方向の距離が変化し、パワーＬＥＤ１の光の照射角が変化する。ハンドル８を図３（Ａ）に示す状態から４５度正転させるか、又は９０度正転させるかに応じて、照明装置１０の照明光の照射角が変化する。
【００２７】
したがって、ハンドル８の回転操作により、その操作量に応じて、パワーＬＥＤ１に対する電源のオン／オフ、及び照明光の照射角の変更を制御することができ、電源のオン／オフを含む光源の照明光に関する複数の機能の制御を同一部材の同一方向の操作によって行うことができる。
【００２８】
また、ハンドル８の回転操作を円筒カム７を介してレンズ保持体３及び電源スイッチ４に伝達するようにしているため、円筒カム７のカム曲線の形状を変更することで、ハンドル８の回転操作に容易にノッチ感を与えることができる。
【００２９】
なお、図３（Ｂ）に示す状態と図３（Ｃ）に示す状態との間における少なくとも１つのハンドル８の回転位置でハンドル８の回転又はレンズ保持体３の移動を弾性的に停止できるようにし、３種類以上の照明光の照射角を選択できるようにしてもよい。円筒カム７のカム曲線を変えることで、図３（Ｂ）に示す状態と図３（Ｃ）に示す状態との間における少なくとも１つのハンドル８の回転位置でハンドル８の回転又はレンズ保持体３の移動を停止できるようにしてもよい。
【００３０】
また、円筒カム７は、ハンドル８に一体的に形成することもできる。レンズ保持体３を背面側に付勢する弾性部材を備え、レンズ保持体３を背面側の位置に円滑に復帰させることができるようにしてもよい。弾性部材によって、レンズ保持体３の位置の固定に耐振動性を与えることもできる。
【００３１】
図４（Ａ）〜（Ｃ）に示すように、この発明の第２の実施形態に係る照明装置２０は、照明装置１０のハンドル８に代えてハンドル８１を設け、操作プレート５，６並びに円筒カム７を省略したものである。ハンドル８１は、筐体１１の背面側にＸ方向に沿って背面側の位置、中間位置及び前面側の位置の３箇所で停止できるようにして往復移動自在に支持されている。ハンドル８１には、操作部８２，８３が形成されている。電源スイッチ４１は、外部の商用電源から複数のパワーＬＥＤ１への電源ラインに配置され、可動接点部４１Ａが前面側にあるときに電源ラインを閉成する。
【００３２】
図４（Ａ）に示すハンドル８１が背面側の位置にある状態では、操作部８２は、電源スイッチ４１の可動接点部４１Ａに当接しておらず、パワーＬＥＤ１への電源ラインが開成されている。また、操作部８３は軸部３Ａに当接しておらず、レンズ保持体３は背面側の位置にある。
【００３３】
図４（Ａ）に示す状態からハンドル８１を中間位置に押圧すると、図４（Ｂ）に示すように、操作部８２が電源スイッチ４１の可動接点部４１Ａを前面側に押圧し、パワーＬＥＤ１への電源ラインが閉成される。この結果、パワーＬＥＤ１が点灯する。図４（Ｂ）に示す状態でも、操作部８３は軸部３Ａに当接しておらず、レンズ保持体３は背面側の位置にある。
【００３４】
図４（Ｂ）に示す状態からハンドル８１を前面側の位置まで押圧すると、図４（Ｃ）に示すように、操作部８２による可動接点部４１Ａの押圧が維持されてパワーＬＥＤ１への電源ラインが閉成されたまま、操作部８３が軸部３Ａを押圧し、レンズ保持体３が前面側の位置に移動する。図４（Ｃ）に示す状態からハンドル８１を中間位置に引き出すと図４（Ｂ）に示す状態になり、パワーＬＥＤ１への電源ラインが閉成されたまま、レンズ保持体３が背面側の位置に移動する。
【００３５】
ハンドル８１の押圧／引出操作により、その操作量に応じて、パワーＬＥＤ１に対する電源のオン／オフ、及び照明光の照射角の変更を制御することができ、電源のオン／オフを含む光源の照明光に関する複数の機能の制御を同一部材の同一方向の操作によって行うことができる。
【００３６】
図５に示すように、この発明の第３の実施形態に係る照明装置３０は、パワーＬＥＤ１及びレンズ２を収納した上部筐体３１１の下方に下部筐体３１２を設け、下部筐体３１２の前面側に一部を露出してハンドル８を回転自在に備えている。下部筐体３１２の内部には、電源スイッチ４、円筒カム７１、操作プレート５０，６０が収納されている。上部筐体３１１及び下部筐体３１２には、この発明の変換部材であるレバー９が上下方向の中間部分を支点に回転自在に配置されている。電源スイッチ４の可動接点部４Ａは、操作プーと５０を介して円筒カム７のカム面の一部に当接自在にされている。レバー９の下端部は操作プレート６０を介して円筒カム７１のカム面の他の一部に当接自在にされており、レバー９の上端部はレンズ保持体３の軸部３Ａの背面側に当接自在にされている。
【００３７】
ハンドル８が回転操作されると、円筒カム７１がハンドル８と一体的に回転する。ハンドル８が第１の回転角まで回転操作されたときに、電源スイッチ４の可動接点部４Ａが円筒カム７１におけるカム面の変位によって動作し、パワーＬＥＤ１に対する電源ラインが閉成される。ハンドル８が第２の回転角まで回転操作されたときに、レバー９の下端部が円筒カム７１のカム面に当接し、レバー９が図５中破線で示す位置まで回転することにより、軸部３Ａが前面側に押圧され、レンズ保持体３が前面側の位置に移動する。レバー９は、下部筐体３１２の前面側におけるハンドル８の回転操作による円筒カムの回転を上部筐体３１１の内部におけるＸ方向に沿うレンズ保持体３の移動に変換する。
【００３８】
ハンドル８が筐体の前面側に露出しているため、作業者によるハンドル８の操作を容易にすることができる。また、照明装置３０を薄型に構成することもできる。
【００３９】
なお、ハンドル８は、下部筐体３１２の前面だけでなく、左右側面、底面又は背面に露出させることもできる。また、上部筐体３１１と下部筐体３１２を一体化することもできる。さらに、操作プレート６０を省略してレバー９の下端部を円筒カム７１のカム面に直接当接自在にしてもよい。
【００４０】
図６に示すように、この発明の第４の実施形態に係る照明装置の円筒カム７０は、複数の同心円上に４種類のカム曲線の円筒カムを一体的に形成したものである。各カム曲線のそれぞれに対応して合計４個の操作プレート５１〜５４が備えられる。
【００４１】
例えば、操作プレート５４によって前述のレンズ保持体３の軸部３Ａを押圧することとし、操作プレート５１〜５３のそれぞれで異なる３個の電源スイッチのそれぞれの可動接点部を押圧する。３個の電源スイッチを、異なる色相の光を照射する３個のパワーＬＥＤの電源ラインのそれぞれに配置する。これによって、単一のハンドルの操作により、レンズの移動による照明光の照射角の変更に加えて、照射光の色相を変更することができる。
【００４２】
また、単一のハンドルの操作により、レンズの移動による照明光の照射角の変更に加えて、照明光の光量を変更するものとしてもよい。例えば、同一の色相の光を照射する３個のパワーＬＥＤを備え、円筒カム７０のカム曲線を操作プレート５１、操作プレート５２、操作プレート５３が順次重畳して移動する形状とする。
【００４３】
なお、上述の第１〜第４の実施形態では光源としてパワーＬＥＤを用いているが、本願はこれに限るものではなく、例えばＬＥＤ、白熱球又はハロゲンランプ等の任意の光源を用いることができる。
【００４４】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４５】
１−パワーＬＥＤ（光源）
２−レンズ
３−レンズ保持体
４−電源スイッチ（電源部）
５，６−操作プレート（伝達部材）
７−円筒カム
１０−照明装置
１１−筐体
【図１】
2011003504.tif 000003
【図２】
2011003504.tif 000004
【図３】
2011003504.tif 000005
【図４】
2011003504.tif 000006
【図５】
2011003504.tif 000007
【図６】
2011003504.tif 000008